(57)【要約】【課題】  元位置復帰手段の経時劣化を回避して、各動力伝達機構を長期間適正に元位置に復帰させることでイメージ通りの演奏に寄与するピアノを提供する。【解決手段】  鍵盤２の打鍵をハンマー３の打弦に変換して出力し、かつ鍵盤２の解放に追従して元位置に復帰する第１動力伝達機構５、鍵盤２の打鍵をダンパー６による弦４の解放に変換して出力し、かつ鍵盤２の解放に追従する元位置復帰により弦４の振動を拘束する第２動力伝達機構７とを備えたアップライトピアノ１において、鍵盤２の解放に追従して前記第１，第２動力伝達機構５，７を元位置に復帰させる元位置復帰手段１８Ａ，１８Ｂ、２１は、異種磁極の吸引または同種磁極の反発を可能にこれら磁極を互いに対向させて設置した永久磁石のペア３２ａ，３２ｂ、３４ａ，３４ｂ、３５ａ，３５ｂによって構成する。【選択図】        図１
0003128574.tif 000002
【実用新案登録請求の範囲】
【請求項１】
鍵盤の打鍵をハンマーの打弦に変換して出力し、かつ鍵盤の解放に追従して元位置復帰手段により元位置に復帰する第１動力伝達機構と、鍵盤の打鍵をダンパーによる弦の解放に変換して出力し、かつ鍵盤の解放に追従して元位置復帰手段により元位置に復帰して弦の振動を拘束する第２動力伝達機構とを備えたピアノにおいて、
前記鍵盤の解放に追従して前記第１，第２動力伝達機構を元位置に復帰させる元位置復帰手段は、異種磁極の吸引または同種磁極の反発を可能にこれら磁極を互いに対向させて設置した永久磁石のペアによって構成されていることを特徴とするピアノ。
【請求項２】
請求項１に記載のピアノにおいて、
該ピアノはアップライトピアノからなり、前記第１動力伝達機構は、鍵盤の打鍵と解放に追従して上下に揺動するウイッペンと、このウイッペンに前後の揺動を可能に取付けられかつ該ウイッペンの揺動に追従して昇降するジャックと、このジャックの昇降に追従して前後に揺動し前側で上下方向に張設した弦を打弦するハンマーとを備え、前記第２動力伝達機構は、鍵盤の打鍵と解放に追従して前後に揺動し前記弦を拘束または解放するダンパーからなり、ウイッペンとジャックの間およびハンマーとピアノ本体側の固定部材との間のそれぞれに、同種磁極の反発を可能にこれら磁極を互いに対向させて設置した永久磁石のペアからなる第１元位置復帰手段が介設され、ダンパーとピアノ本体側の固定部材との間には、同種磁極の反発を可能にこれら磁極を互いに対向させて設置した永久磁石のペアからなる第２元位置復帰手段が介設されていることを特徴とするピアノ。
【請求項３】
請求項１に記載のピアノにおいて、
該ピアノはグランドピアノからなり、前記第１動力伝達機構は、鍵盤の打鍵と解放に追従して上下に揺動するウイッペンと、このウイッペンに前後の揺動を可能に取付けられかつ該ウイッペンの揺動に追従して昇降するジャックと、前記ウイッペンに上下の揺動を可能に取付けられかつ該ウイッペンの揺動に追従して昇降するレピティションレバーと、前記ジャックとレピティションレバーの昇降に追従して上下に揺動し上側で横方向に張設した弦を打弦するハンマーとを備え、前記第２動力伝達機構は、鍵盤の打鍵と解放に追従して昇降し前記弦を拘束または解放するダンパーからなり、ウイッペンとレピティションレバーの間およびウイッペンとジャックとの間のそれぞれに、同種磁極の反発を可能にこれら磁極を互いに対向させて設置した永久磁石のペアからなる第１元位置復帰手段が介設され、ダンパーとピアノ本体側の固定部材との間には、異種磁極の吸引を可能にこれら磁極を互いに対向させて設置した永久磁石のペアからなる第２元位置復帰手段が介設されていることを特徴とするピアノ。
【請求項４】
請求項１，請求項２または請求項３に記載のピアノにおいて、
前記元位置復帰手段には、磁極の対向間隔の調整が可能な対向間隔調整機構が付設されていることを特徴とするピアノ。
【考案の詳細な説明】
【技術分野】
【０００１】
本考案はピアノに係り、詳しくは、鍵盤の打鍵をハンマーの打弦に変換して出力する第１動力伝達機構と、鍵盤の打鍵をダンパーによる弦の解放に変換して出力する第２動力伝達機構の元位置への復帰を、永久磁石の磁力によって行うようにしたピアノに関する。
【背景技術】
【０００２】
図５に示す従来のアップライトピアノ１は、鍵盤２の打鍵をハンマー３による弦４の打弦に変換して出力するとともに、鍵盤２の解放に追従して元位置復帰手段により元位置に復帰する第１動力伝達機構５と、鍵盤２の打鍵をダンパー６による弦４の解放に変換して出力するとともに、鍵盤２の解放に追従して元位置復帰手段により元位置に復帰して弦４の振動を拘束する第２動力伝達機構７とを備える。
【０００３】
第１動力伝達機構５は、鍵盤２の打鍵と解放に追従して上下に揺動するウイッペン８と、このウイッペン８の上側に前後の揺動（図５では左右の揺動）を可能に取付けられ、かつ該ウイッペン８の揺動に追従して昇降するジャック９と、このジャック９の昇降に追従して前後に揺動し、前側（図５では左側）で上下方向に張設した前記弦４を打弦する前記ハンマー３とを備え、第２動力伝達機構７は、鍵盤２の打鍵と解放に追従して前後に揺動し前記弦４を拘束または解放する前記ダンパー６からなる。
【０００４】
鍵盤２は、バランスピン２ａを支点として上下の揺動を自在に配置され、作用点として機能する先端部には上向きに突出するキャプスタン２ｂを備える。ウイッペン８は、その前端部近傍（図５では左端部近傍）が第１ピン１０を介して該第１ピン１０を支点に上下の揺動を自在にピアノ本体側の第１固定部材１１の下端部に連結され、前端部の上面には、スプーン８ａが上向きに突設され、後端部近傍（図５では右端部近傍）の下面には、鍵盤２のキャプスタン２ｂに対向する被押し上げ部８ｂが下向きに突設されている。ジャック９はＬ字状のもので、上下方向にのびる長辺９ａと横方向にのびる短辺９ｂとの交叉部が第２ピン１３を介して該第２ピン１３を支点に前後の揺動を自在にウイッペン８の上側に連結される。そして、前記短辺９ｂの上側に対向してレギュレーティングボタン１４が配置され、該レギュレーティングボタン１４は、支持片１５を介してピアノ本体側の第１固定部材１１に揺動不能に固定される。
【０００５】
ハンマー３は、下端部のハンマーバット３０と、ハンマーバット３０から上方にのびる中間部のハンマーシャンク３１と、ハンマーシャンク３１の上端部から前方向（図５では左方向）にのびるハンマーヘッド３２とを備え、ハンマーバット３０の下端部が第３ピン１６を介して該第３ピン１６を支点に前後の揺動を自在にピアノ本体側の第１固定部材１１に連結される。また、ハンマーバット３０における第３ピン１６による連結位置の後側近傍には、ジャック９における長辺９ａの上端部前面が係脱する上下方向の平坦な係合面３０ａが形成され、この係合面３０ａの上端から後方かつ上方に向けて円弧状に膨らむとともに、長辺９ａの上端面が摺接する摺動面３０ｂを形成してある。
【０００６】
前記ダンパー６は、上下にのびるダンパーレバー６ａと、ダンパーレバー６ａの上側に連設されて弦４を拘束または解放するダンパーヘッド６ｂとを備え、ダンパーレバー６ａは、その中央部が第４ピン１７を介して該第４ピン１７を支点に前後の揺動を自在にピアノ本体側の第１固定部材１１の上端部に連結され、その下端部後面には、ウイッペン８におけるスプーン８ａの上端部前面が当接している。
【０００７】
一方、ウイッペン８における後端部近傍の上面とジャック９における横方向にのびる短辺９ｂとの間に、圧縮コイルスプリングからなる一方の第１元位置復帰手段１８Ａが介設され、第２ピン１３を支点にしてジャック９を反時計回りに付勢することで、ジャック９における長辺９ａの上端部前面をハンマーバット３０の係合面３０ａに係合させている。また、ハンマーバット３０とピアノ本体側の固定部材１１との間には、板バネまたは線バネからなる他方の第１元位置復帰手段１８Ｂがスプリングコード１９を介して設けられ、第３ピン１６を支点にしてハンマーシャンク３１を時計回りに付勢することで、ハンマーシャンク３１をピアノ本体側ストッパー２０前面に当接させている。
【０００８】
他方、ダンパー６におけるダンパーレバー６ａとピアノ本体側の固定部材１１との間には、板バネまたは線バネからなる第２元位置復帰手段２１が介設され、第４ピン１７を支点にしてダンパーレバー６ａを反時計回りに付勢することで、ダンパーヘッド６ｂを弦４に当接させて弦４の振動を拘束している。
【０００９】
つぎに、前記構成のアップライトピアノ１の作動について説明する。
Ｉ．鍵盤２の打鍵時
図５において、
ａ．鍵盤２を打鍵すると、鍵盤２はバランスピン２ａを支点として時計回に回動し、キャプスタン２ｂは上昇する。
ｂ．キャプスタン２ｂが上昇すると、キャプスタン２ｂの上端はウイッペン８の被押し上げ部８ｂを押し上げる。これにより、ウイッペン８は第１ピン１０を支点に反時計回りに回動する。
ｃ．ウイッペン８が反時計回りに回動すると、第２ピン１３を介してＬ字状のジャック９が押し上げられる。
ｄ．ジャック９の押し上げは、短辺９ｂの上端がレギュレーティングボタン１４に当接するまで継続される。この間に、長辺９ａの上端部はハンマーバット３０の円弧状の摺動面３０ｂに摺接干渉しながらハンマーバット３０を押し上げる。これにより、ハンマー３は他方の第１元位置復帰手段１８Ｂのバネ力に抗して第３ピン１６を支点に時計回りに回動して、図６のようにハンマーヘッド３２で弦４を打弦する。弦４を打弦したハンマーヘッド３２は打弦直後に他方の第１元位置復帰手段１８Ｂの復元力により弦４から離れる。
ｅ．前記ｄにおいて、ジャック９の短辺９ｂの上端がレギュレーティングボタン１４に当接した後も、ウイッペン８の第１ピン１０を支点にした反時計回りの回動は少し継続する。その結果、図６のように一方の第１元位置復帰手段１８Ａは圧縮される。
ｆ．前記ｂにおいてウイッペン８が反時計回りに回動すると、スプーン８ａは下がりながら左方向に変位し、その上端部がダンパーレバー６ａの下端部に干渉して押圧する。その結果、ダンパーレバー６ａは、第２元位置復帰手段２１のバネ力に抗して第４ピン１７を支点に反時計回りに回動して、ダンパーヘッド６ｂは図６のように弦４から離れる。そのため、弦４は振動し続けて音が鳴り響く。
【００１０】
ＩＩ．鍵盤２の解放時
図６において、
ｇ．鍵盤２の打鍵が終了すると、鍵盤２はバランスピン２ａを支点として反時計回りに回動し、キャプスタン２ｂは下降して図５の状態に復帰する。
ｈ．キャプスタン２ｂが下降すると、第１ピン１０を支点にウイッペン８は時計回りに回動する。
ｉ．ウイッペン８が時計回りに回動すると、第２ピン１３を介してジャック９が下降する。
ｊ．ジャック９が下降すると、短辺９ｂの上端がレギュレーティングボタン１４から離れるので、ジャック９は一方の第１元位置復帰手段１８Ａの復元力により第２ピン１３を支点として反時計方向に回動して図５の状態に復帰する。また、前記ｄにおいて、弦４を打弦した直後にハンマーヘッド３２が弦４から離れた後も第２元位置復帰手段１８Ｂの復元力がハンマーバット３０を付勢し続けるので、ハンマー３は図５の状態に復帰する。
ｋ．前記ｈにおいてウイッペン８が時計回りに回動すると、スプーン８ａは上がりながら右方向に変位して図５の状態に復帰する。その結果、ダンパーレバー６ａは第２元位置復帰手段２１の復元力により第４ピン１７を支点に時計回りに回動して、ダンパー６は図５の状態に復帰してダンパーヘッド６ｂにより弦４を抑えて余韻振動を止める。
【００１１】
つぎに、従来のグランドピアノについて説明する。なお、図５，図６で説明したアップライトピアノ１と同一もしくは相当部分には、同一符号を付して説明する。
【００１２】
図７に示す従来のグランドピアノ１Ａは、鍵盤２の打鍵をハンマー３による弦４の打弦に変換して出力するとともに、鍵盤２の解放に追従して元位置復帰手段により元位置に復帰する第１動力伝達機構５と、鍵盤２の打鍵をダンパー６による弦４の解放に変換して出力するとともに、鍵盤２の解放に追従して元位置復帰手段により元位置に復帰して弦４の振動を拘束する第２動力伝達機構７とを備える。
【００１３】
第１動力伝達機構５は、鍵盤２の打鍵と解放に追従して上下に揺動するウイッペン８と、このウイッペン８の後端部に前後の揺動（図７では左右の揺動）を可能に取付けられ、かつ該ウイッペン８の揺動に追従して昇降するジャック９と、ウイッペン８の上側に上下の揺動を可能に取付けられかつ該ウイッペン８の揺動に追従して昇降するレピティションレバー２２と、前記ジャック９とレピティションレバー２２の昇降に追従して上下に揺動し上側で横方向に張設した弦４を打弦するハンマー３とを備え、第２動力伝達機構７は、鍵盤２の打鍵と解放に追従して昇降し前記弦４を拘束または解放する前記ダンパー６からなる。
【００１４】
鍵盤２は、バランスピン２ａを支点として上下の揺動を自在に配置され、作用点として機能する先端部近傍には上向きに突出するキャプスタン２ｂを備える。ウイッペン８は、その前端部近傍（図５では左端部近傍）が第１ピン１０を介して該第１ピン１０を支点に上下の揺動を自在にピアノ本体側の第１固定部材１１の下端部に連結され、中央部近傍の下面には、鍵盤２のキャプスタン２ｂに対向する被押し上げ部８ｂが下向きに突設されている。ジャック９はＬ字状のもので、上下方向にのびる長辺９ａと横方向にのびる短辺９ｂとの交叉部が第２ピン１３を介して該第２ピン１３を支点に前後の揺動を自在にウイッペン８の後端部に連結される。そして、前記短辺９ｂの上側に対向してレギュレーティングボタン１４が配置され、該レギュレーティングボタン１４は、ピアノ本体側の第２固定部材１１Ａの下面に揺動不能に固定される。
【００１５】
レピティションレバー２２は、連結片２３を介して第５ピン２４を支点に上下の揺動を自在にウイッペン８の上側に配置され、後端部の上面２２ａは、ピアノ本体側の第２固定部材１１Ａの上面に固定された支持板２５の前端部を上下に貫通して取付けたドロップスクリュー２６の下端に接離可能になっている。
【００１６】
ハンマー３は、ハンマーシャンク３１と、ハンマーシャンク３１の前端部に取付けたハンマーヘッド３２とを備え、ハンマーシャンク３１の後端部は第６ピン２７を介して該第６ピン２７を支点に上下の揺動を自在に支持板２５の前端部に連結される。また、ハンマーシャンク３１の後端部下面には、ハンマーローラ２８が取付けられ、このハンマーローラ２８はレピティションレバー２２の後端部近傍に載置されている。
【００１７】
ダンパー６は、上下にのびるダンパー軸６ｃと、ダンパー軸６ｃの上端部に設けられて弦４を拘束または解放するダンパーヘッド６ｂとを備え、ダンパー軸６ｃの下端部は連結ピン２８を介してダンパーレバー４１の後端部近傍に連結される。ダンパーレバー４１の先端部は、第７ピン４２を介して該第７ピン４２を支点に上下の揺動を自在にピアノ本体側の第３固定部材１１Ｂに連結され、ダンパーレバー４１の後端面からさらに後方へ突出して設けたスプーン４１aの後端部下面は鍵盤２の前端部上面に対応している。
【００１８】
一方、ウイッペン８とレピティションレバー２２とを連結している連結片２３からジャック９における長辺９ａにかけて、板バネまたは線バネからなる一方の第１元位置復帰手段１８Ａが介設され、第２ピン１３を支点にしてジャック９を反時計回りに付勢しており、連結片２３からレピティションレバー２２の下面にかけて、板バネまたは線バネからなる他方の第１元位置復帰手段１８Ｂが介設され、第５ピン２４を支点にしてレピティションレバー２２を反時計回りに付勢することで、レピティションレバー２２の後端部の上面２２ａをドロップスクリュー２６の下面に当接させている。
【００１９】
つぎに、前記構成のグランドピアノ１Ａの作動について説明する。
Ｉ．鍵盤２の打鍵時
図７の静止状態では、ハンマー３のハンマーシャンク３１はハンマーローラ２８を介してレピティションレバー２２に載置され、ハンマー３の重量はレピティションレバー２２を介して他方の第１元位置復帰手段１８Ｂによって支えている。また、ジャック９における長辺９ａの上端部は隙間を介してハンマーローラ２８の下端に対向している。
ａ１．鍵盤２を打鍵すると、鍵盤２はバランスピン２ａを支点として時計回りに回動し、キャプスタン２ｂは上昇する。
ｂ１．キャプスタン２ｂが上昇すると、キャプスタン２ｂの上端はウイッペン８の被押し上げ部８ｂを押し上げる。これにより、ウイッペン８は第１ピン１０を支点に反時計回りに回動する。
ｃ１．ウイッペン８が反時計回りに回動すると、連結片２３と第５ピン２４を介してレピティションレバー２２が押し上げられるとともに、第２ピン１３を介してジャック９が押し上げられる。
ｄ１．レピティションレバー２２の押し上げは、後端部の上面２２ａがドロップスクリュー２６に当接するまで継続される。この間に、レピティションレバーは２２ハンマーローラ２８を介してハンマー３のハンマーシャンク３１を押し上げ、第６ピン２７を支点にハンマーシャンク３１とハンマーヘッド３２を時計回りに回動させる。レピティションレバー２２の後端部の上面２２ａがドロップスクリュー２６に当接した後もウイッペン８は反時計回りに回動するので、レピティションレバー２２は第５ピン２４を支点に他方の第１元位置復帰手段１８Ｂのバネ力に抗して時計回りに回動する。
ｅ１．レピティションレバー２２の上昇が停止した後もジャック９は継続して上昇し、長辺９ａの上端部でハンマーローラ２８の下端を押し上げ、短辺９ｂの後端部上面がレギュレーティングボタン１４に当接すると、ジャック９は第２ピン１３を支点に一方の第１元位置復帰手段１８Ａのバネ力に抗して時計回りに回動する。
ｆ１．ジャック９が時計回りに回動することで、ジャック９はハンマーローラ２８から離れるので、ジャック９によるハンマーローラ２８の押し上げは解除されるが、ハンマー３は慣性により第６ピン２７を支点に時計回りに回動し続けて、図８のようにハンマーヘッド３２で弦４を下側から打弦する。弦４を打弦したハンマーヘッド３２は、打弦直後にハンマーヘッド３２とハンマーシャンク３１のモーメントにより第６ピン２７を支点に反時計回りに回動して弦から離れる。
ｇ１．前記ａ１において鍵盤２が時計回りに回動すると、鍵盤２の前端部がダンパーレバー４１のスプーン４１aを押し上げ、第７ピン４２を支点にダンパーレバー４１が反時計回りに回動する。その結果、ダンパー軸６ｃは連結ピン２９を介して押し上げられ、ダンパーヘッド６ｂは図８のように弦４から離れるので、弦４は振動し続けて音が鳴り響く。
【００２０】
ＩＩ．鍵盤２の解放時
図８において、
ｈ１．鍵盤２の打鍵が終了すると、鍵盤２はバランスピン２ａを支点として反時計回りに回動し、キャプスタン２ｂは下降して図７の状態に復帰する。
ｉ１．キャプスタン２ｂが下降すると、第１ピン１０を支点にウイッペン８は時計回りに回動する。
ｊ１．ウイッペン４が時計回りに回動すると、連結片２３，第５ピン２４を介してレピティションレバー２２が下降し、第２ピン１３を介してジャック９が下降する。
ｋ１．レピティションレバー２２とジャック９が下降すると、まず、レピティションレバー２２の後端部の上面２２ａがドロップスクリュー２６から離れるので、レピティションレバー２２は他方の第１元位置復帰手段１８Ｂの復元力により第５ピン２４を支点として反時計方向に回動して図７の状態に復帰する。また、ジャック９の短辺９ｂの上端がレギュレーティングボタン１４から離れるので、ジャック９は一方の第１元位置復帰手段１８Ａの復元力により第２ピン１３を支点として時計回りに回動して図７の状態に復帰する。
ｌ１．前記ｆ１において、弦４を打弦した直後にハンマーヘッド３２が弦４から離れた後は、ハンマー３は第６ピン２７を支点にさらに反時計回りに回動して図７の状態に復帰する。
ｍ１．前記ｈ１において鍵盤２が反時計回りに回動して図７の状態に復帰すると、ダンパー６は自重によって下降して弦４上からを抑えて余韻振動を止める。
【００２１】
【特許文献１】特になし
【考案の開示】
【考案が解決しようとする課題】
【００２２】
ところが、前記従来のアップライトピアノ１およびグランドピアノ１Ａでは、鍵盤２の打鍵をハンマー３の打弦に変換して出力する第１動力伝達機構５と、鍵盤２の打鍵をダンパー６による弦４の解放に変換して出力する第２動力伝達機構７の元位置復帰を、スプリングからなる一方の第１元位置復帰手段１８Ａ，他方の第１元位置復帰手段１８Ｂおよび第２元位置復帰手段２１に委ねているので、経時劣化によるバネ定数の低下で各動力伝達機構５，７の適正な元位置復帰が妨げられる欠点を有し、適正な元位置復帰が妨げられるとピアノ演奏に悪影響をおよぼす。そのため、比較的短期間で各元位置復帰手段１８Ａ，１８Ｂ，２１の煩雑な補修や交換が必要になるおそれを有する。一方、従来のアップライトピアノ１は、スプリングコード１９の断線による他方の第１元位置復帰手段１８Ｂの動作不良が生じやすくピアノ演奏に悪影響をおよぼす。また、グランドピアノ１Ａは、ダンパー６の元位置復帰をダンパー６の自重に委ねているので、下降速度のバラツキによって適正な余韻振動の停止が妨げられてピアノ演奏に悪影響をおよぼすなどの問題もある。
【００２３】
本考案は、このような問題を解決するものであって、その目的とするところは、元位置復帰手段の経時劣化を回避して、各動力伝達機構を長期間適正に元位置に復帰させることでイメージ通りの演奏に寄与するピアノを提供することにある。
【課題を解決するための手段】
【００２４】
前記目的を達成するために、本考案に係るピアノは、鍵盤の打鍵をハンマーの打弦に変換して出力し、かつ鍵盤の解放に追従して元位置復帰手段により元位置に復帰する第１動力伝達機構と、鍵盤の打鍵をダンパーによる弦の解放に変換して出力し、かつ鍵盤の解放に追従する元位置復帰手段により元位置に復帰して弦の振動を拘束する第２動力伝達機構とを備えたピアノにおいて、前記鍵盤の解放に追従して前記第１，第２動力伝達機構を元位置に復帰させる元位置復帰手段は、異種磁極の吸引または同種磁極の反発を可能にこれら磁極を互いに対向させて設置した永久磁石のペアによって構成されていることを特徴としている。
【００２５】
これによれば、元位置復帰手段が異種磁極の吸引または同種磁極の反発を可能にこれら磁極を互いに対向させて設置した永久磁石のペアによって構成されていることによって、その経時劣化は回避できる。したがって、各動力伝達機構を長期間適正に元位置に復帰させることができるばかりか、元位置復帰手段の煩雑な補修や交換が不要になる。
【００２６】
また、本考案に係るピアノは、アップライトピアノからなり、前記第１動力伝達機構は、鍵盤の打鍵と解放に追従して上下に揺動するウイッペンと、このウイッペンに前後の揺動を可能に取付けられかつ該ウイッペンの揺動に追従して昇降するジャックと、このジャックの昇降に追従して前後に揺動し前側で上下方向に張設した弦を打弦するハンマーとを備え、前記第２動力伝達機構は、鍵盤の打鍵と解放に追従して前後に揺動し前記弦を拘束または解放するダンパーからなり、ウイッペンとジャックの間およびハンマーとピアノ本体側の固定部材との間のそれぞれに、同種磁極の反発を可能にこれら磁極を互いに対向させて設置した永久磁石のペアからなる第１元位置復帰手段が介設され、ダンパーとピアノ本体側の固定部材との間には、同種磁極の反発を可能にこれら磁極を互いに対向させて設置した永久磁石のペアからなる第２元位置復帰手段が介設されていることを特徴としている。
【００２７】
これによると、ウイッペン，ジャックおよびハンマーを備えた第１動力伝達機構は、同種磁極の反発を可能にこれら磁極を互いに対向させて設置した永久磁石のペアからなる第１元位置復帰手段によって、長期間適正に元位置に復帰させることができる。また、ダンパーからなる第２動力伝達機構も、同種磁極の反発を可能にこれら磁極を互いに対向させて設置した永久磁石のペアからなる第２元位置復帰手段によって、長期間適正に元位置に復帰させることができる。しかも、従来必要であったスプリングコードが不要になるので、スプリングコードが起因する動作不良は生じない。
【００２８】
さらに、本考案に係るピアノは、グランドピアノからなり、前記第１動力伝達機構は、鍵盤の打鍵と解放に追従して上下に揺動するウイッペンと、このウイッペンに前後の揺動を可能に取付けられかつ該ウイッペンの揺動に追従して昇降するジャックと、前記ウイッペンに上下の揺動を可能に取付けられかつ該ウイッペンの揺動に追従して昇降するレピティションレバーと、前記ジャックとレピティションレバーの昇降に追従して上下に揺動し上側で横方向に張設した弦を打弦するハンマーとを備え、前記第２動力伝達機構は、鍵盤の打鍵と解放に追従して昇降し前記弦を拘束または解放するダンパーからなり、ウイッペンとレピティションレバーの間およびウイッペンとジャックとの間のそれぞれに、同種磁極の反発を可能にこれら磁極を互いに対向させて設置した永久磁石のペアからなる第１元位置復帰手段が介設され、ダンパーとピアノ本体側の固定部材との間には、異種磁極の吸引を可能にこれら磁極を互いに対向させて設置した永久磁石のペアからなる第２元位置復帰手段が介設されていることを特徴としている。
【００２９】
これによると、ウイッペン，ジャック，レピティションレバーおよびハンマーを備えた第１動力伝達機構は、同種磁極の反発を可能にこれら磁極を互いに対向させて設置した永久磁石のペアからなる第１元位置復帰手段によって、長期間適正に元位置に復帰させることができる。また、ダンパーからなる第２動力伝達機構は、異種磁極の吸引を可能にこれら磁極を互いに対向させて設置した永久磁石のペアからなる第２元位置復帰手段によって、積極的かつ長期間適正に元位置に復帰させることができる。
【００３０】
さらにまた、本考案に係るピアノは、元位置復帰手段には、磁極の対向間隔の調整が可能な対向間隔調整機構を付設することが望ましい。これによると、対向間隔調整機構によって、元位置復帰手段における磁極の対向間隔を調整して磁力の強さを加減して、各元位置復帰手段による各動力伝達機構の元位置復帰力の調整を容易に行うことができる。
【考案の効果】
【００３１】
本考案によれば、元位置復帰手段が異種磁極の吸引または同種磁極の反発を可能にこれら磁極を互いに対向させて設置した永久磁石のペアによって構成されているので、元位置復帰手段の経時劣化を回避できる。そのため、各動力伝達機構を長期間適正に元位置に復帰させることが可能になり、イメージ通りの演奏に寄与することができる。
【考案を実施するための最良の形態】
【００３２】
以下、本考案の好ましい実施形態を図面に基づいて説明する。図１は本考案の第１実施形態であるアップライトピアノの鍵盤解放時の構造説明図、図２はアップライトピアノの鍵盤打鍵時の構造説明図である。なお、前記図５，図６で説明した従来例と同一もしくは相当部分には、同一符号を付して、重複する構造および作用の説明は省略する。
【００３３】
図１，図２の第１実施形態において、アップライトピアノ１の第１動力伝達機構５を構成しているウイッペン８とジャック９の間に、同種磁極の反発を可能にこれら磁極を互いに対向させて設置した永久磁石のペア３２ａ，３２ｂからなる一方の第１元位置復帰手段１８Ａを介設し、ハンマー３におけるハンマーバット３０とピアノ本体側の固定部材であるダンパーレール３３から下向きに延設した取付板３３ａとに、同種磁極の反発を可能にこれら磁極を互いに対向させて設置した永久磁石のペア３４ａ，３４ｂからなる他方の第１元位置復帰手段１８Ｂを介設するとともに、ダンパー６におけるダンパーレバー６ａと前記取付板３３ａとに、同種磁極の反発を可能にこれら磁極を互いに対向させて設置した永久磁石のペア３５ａ，３５ｂからなる第２元位置復帰手段２１を介設している。また、
【００３４】
このような構成であれば、ウイッペン８，ジャック９およびハンマー３を備えた第１動力伝達機構５は、経時劣化しない一方の第１元位置復帰手段１８Ａと他方の第１元位置復帰手段１８Ｂ、すなわち、同種磁極の反発を可能にこれら磁極を互いに対向させて設置した永久磁石のペア３２ａ，３２ｂからなる一方の第１元位置復帰手段１８Ａと、同種磁極の反発を可能にこれら磁極を互いに対向させて設置した永久磁石のペア３４ａ，３４ｂからなる他方の第１元位置復帰手段１８Ｂによって、長期間適正に元位置に復帰させることができる。また、ダンパー６からなる第２動力伝達機構７も、経時劣化しない第２元位置復帰手段２１、つまり、同種磁極の反発を可能にこれら磁極を互いに対向させて設置した永久磁石のペア３５ａ，３５ｂからなる第２元位置復帰手段２１によって、長期間適正に元位置に復帰させることができる。したがって、イメージ通りのピアノ演奏に寄与することができるばかりか、従来必要であったスプリングコード１９（図５，図６参照）が不要になるので、このスプリングコード１９が起因する動作不良は生じない。
【００３５】
図３は本考案の第２実施形態であるグランドピアノの鍵盤解放時の構造説明図、図４はグランドピアノの鍵盤打鍵時の構造説明図である。なお、前記図７，図８で説明した従来例と同一もしくは相当部分には、同一符号を付して、重複する構造および作用の説明は省略する。
【００３６】
図３，図４の第２実施形態において、グランドピアノ１Ａの第１動力伝達機構５を構成しているウイッペン８とジャック９の間に、詳しくは、ウイッペン８の上面に固定した支持板８ｃとジャック９の間に、同種磁極の反発を可能にこれら磁極を互いに対向させて設置した永久磁石のペア３６ａ，３６ｂからなる一方の第１元位置復帰手段１８Ａを介設し、ウイッペン８とレピティションレバー２２の間に、同種磁極の反発を可能にこれら磁極を互いに対向させて設置した永久磁石のペア３７ａ，３７ｂからなる他方の第１元位置復帰手段１８Ｂを介設するとともに、ダンパー６とピアノ本体側の固定部材との間、詳しくは、ダンパーレバー４１とピアノ本体側の第４の固定部材１１Ｃとの間に、異種磁極の吸引を可能にこれら磁極を互いに対向させて設置した永久磁石のペア３８ａ，３８ｂからなる第２元位置復帰手段２１を介設している。
【００３７】
また、一方の第１元位置復帰手段１８Ａにおける永久磁石のペア３６ａ，３６ｂにおいて、ジャック９側の永久磁石３６ｂを調整ネジからなる対向間隔調整機構３９に取付けて、この永久磁石３６ｂの磁極とウイッペン８側の永久磁石３６ａの磁極との対向間隔の調整を可能にしているとともに、他方の第１元位置復帰手段１８Ｂにおける永久磁石のペア３７ａ，３７ｂにおいて、レピティションレバー２２側の永久磁石３７ｂを調整ネジからなる対向間隔調整機構４０に取付けて、この永久磁石３７ｂの磁極とウイッペン８側の永久磁石３７ａの磁極との対向間隔の調整を可能にしている。
【００３８】
このような構成であれば、ウイッペン８，ジャック９，レピティションレバー２２およびハンマー３を備えた第１動力伝達機構５は、経時劣化しない一方の第１元位置復帰手段１８Ａと他方の第１元位置復帰手段１８Ｂ、すなわち、同種磁極の反発を可能にこれら磁極を互いに対向させて設置した永久磁石のペア３６ａ，３６ｂからなる一方の第１元位置復帰手段１８Ａと、同種磁極の反発を可能にこれら磁極を互いに対向させて設置した永久磁石のペア３７ａ，３７ｂからなる他方の第１元位置復帰手段１８Ｂによって、長期間適正に元位置に復帰させることができる。また、ダンパー６からなる第２動力伝達機構７も、経時劣化しない第２元位置復帰手段２１、つまり、異種磁極の吸引を可能にこれら磁極を互いに対向させて設置した永久磁石のペア３８ａ，３８ｂからなる第２元位置復帰手段２１によって、積極的かつ長期間適正に元位置に復帰させることでイメージ通りのピアノ演奏に寄与することができる。
【００３９】
さらに、対向間隔調整機構３９によってジャック９側の永久磁石３６ｂの磁極とウイッペン８側の永久磁石３６ａの磁極との対向間隔の調整を可能に構成し、対向間隔調整機構４０によってレピティションレバー２２側の永久磁石３７ｂの磁極とウイッペン８側の永久磁石３７ａの磁極との対向間隔の調整を可能に構成しているので、一方の第１元位置復帰手段１８Ａおよび他方の第１元位置復帰手段１８Ｂの磁力の強さを加減して、各元位置復帰手段１８Ａ，１８Ｂによる第１動力伝達機構５の元位置復帰力の調整を容易に行うことができる。なお、前記対向間隔調整機構３９，４０により磁極の対向間隔を調整する構成は、図３，図４で説明した第２実施形態のみならず、図１，図２で説明した第１実施形態にも適用できる。また、図１〜図４の第１および第２実施形態において、第２元位置復帰手段２１を構成している永久磁石のペア３５ａ，３５ｂ、３８ａ，３８ｂに前記対向間隔調整機構３９，４０を付設することで、第２元位置復帰手段２１の磁力の強さを加減して、第２元位置復帰手段２１による第２動力伝達機構７の元位置復帰力の調整を容易に行うことができる。
【図面の簡単な説明】
【００４０】
【図１】本考案の第１実施形態であるアップライトピアノの鍵盤解放時の構造説明図である。
【図２】本考案に係るアップライトピアノの鍵盤打鍵時の構造説明図である。
【図３】本考案の第２実施形態であるグランドピアノの鍵盤解放時の構造説明図である。
【図４】本考案に係るグランドピアノの鍵盤打鍵時の構造説明図である。
【図５】従来のアップライトピアノの鍵盤解放時の構造説明図である。
【図６】従来のアップライトピアノの鍵盤打鍵時の構造説明図である。
【図７】従来のグランドピアノの鍵盤解放時の構造説明図である。
【図８】従来のグランドピアノの鍵盤打鍵時の構造説明図である。
【符号の説明】
【００４１】
１  アップライトピアノ
１Ａ  グランドピアノ
２  鍵盤
３  ハンマー
４  弦
５  第１動力伝達機構
６  ダンパー
７  第２動力伝達機構
８  ウイッペン
９  ジャック
１８Ａ  一方の第１元位置復帰手段（元位置復帰手段）
１８Ｂ  他方の第１元位置復帰手段（元位置復帰手段）
２１  第２元位置復帰手段（元位置復帰手段）
２２  レピティションレバー
３２ａ，３２ｂ  永久磁石のペア
３４ａ，３４ｂ  永久磁石のペア
３５ａ，３５ｂ  永久磁石のペア
３６ａ，３６ｂ  永久磁石のペア
３７ａ，３７ｂ  永久磁石のペア
３８ａ，３８ｂ  永久磁石のペア
３９  対向間隔調整機構
３４０  対向間隔調整機構
【図１】
0003128574.tif 000003
【図２】
0003128574.tif 000004
【図３】
0003128574.tif 000005
【図４】
0003128574.tif 000006
【図５】
0003128574.tif 000007
【図６】
0003128574.tif 000008
【図７】
0003128574.tif 000009
【図８】
0003128574.tif 000010